(57)【要約】【課題】  量子ビットの状態を表す磁束を可変変圧器回路内のＤＣ−ＳＱＵＩＤに結合することができる、超伝導磁束量子ビットの状態を読み出すためのシステム及び方法を提供する。【解決手段】  経時変化する（例えばＡＣ）駆動電流が量子ビットの状態に依存する比率でＤＣ−ＳＱＵＩＤと一次インダクタとの間で分けられるように、ＤＣ−ＳＱＵＩＤが一次インダクタと電気的に並列結合される。ＤＣ−ＳＱＵＩＤを電圧状態に切り替えさせることなく、量子ビットの状態を示す経時変化する（例えばＡＣ）出力信号を提供するために、一次インダクタを二次インダクタに誘導結合する。超伝導磁束量子ビットとＤＣ−ＳＱＵＩＤとの間の結合は、複数のラッチング量子ビットを含む経路指定システムによって成り立つことができる。単一の可変変圧器回路を用いて複数の量子ビットの状態を測定するために、複数の超伝導磁束量子ビットを同じ経路指定システムに結合することができる。【選択図】  図６
2014504057.tif 000002
【特許請求の範囲】
【請求項１】
臨界温度未満で超伝導である材料で形成される量子ビットループ及び少なくとも１つのジョセフソン接合を含む第１の超伝導磁束量子ビットと、
信号入力線と、
信号出力線と、
ＤＣ−ＳＱＵＩＤ、一次インダクタ、及び二次インダクタを含む可変変圧器回路と
を含み、前記ＤＣ−ＳＱＵＩＤは前記第１の超伝導磁束量子ビットの前記量子ビットループに通信結合可能であり、前記ＤＣ−ＳＱＵＩＤと前記一次インダクタとが前記信号入力線に対して互いに電気的に並列接続され、前記一次インダクタ及び前記二次インダクタが、その間で信号を誘導結合するために互いに十分近く配置され、前記二次インダクタが前記信号出力線と電気的に直列接続される
超伝導読出しシステム。
【請求項２】
超伝導材料の第１のループ及び超伝導材料の前記第１のループを遮断する複合ジョセフソン接合を含む第１のラッチング量子ビットをさらに含み、前記複合ジョセフソン接合は、少なくとも２つのジョセフソン接合によって遮断される超伝導材料の閉ループを含み、超伝導材料の前記第１のループ及び前記複合ジョセフソン接合が閉じた超伝導電流経路を形成し、
前記第１のラッチング量子ビットの超伝導材料の前記第１のループが、前記第１の超伝導磁束量子ビットの前記量子ビットループに通信結合可能であり、それにより前記ＤＣ−ＳＱＵＩＤは、前記第１のラッチング量子ビットを介して前記第１の超伝導磁束量子ビットの前記量子ビットループに通信結合可能である、
請求項１に記載の超伝導読出しシステム。
【請求項３】
超伝導材料の第１のループ及び超伝導材料の前記第１のループを遮断する複合ジョセフソン接合を含む少なくとも１つの追加のラッチング量子ビットをさらに含み、前記複合ジョセフソン接合は、少なくとも２つのジョセフソン接合によって遮断される超伝導材料の閉ループを含み、超伝導材料の前記第１のループ及び前記複合ジョセフソン接合が閉じた超伝導電流経路を形成し、
前記少なくとも１つの追加のラッチング量子ビットの超伝導材料の前記第１のループが、前記第１のラッチング量子ビットに通信結合可能であり、それにより前記ＤＣ−ＳＱＵＩＤは、前記第１のラッチング量子ビット及び前記少なくとも１つの追加のラッチング量子ビットを介して前記第１の超伝導磁束量子ビットの前記量子ビットループに通信結合可能である、
請求項２に記載の超伝導読出しシステム。
【請求項４】
前記第１のラッチング量子ビットの超伝導材料の前記第１のループを、前記少なくとも１つの追加のラッチング量子ビットの超伝導材料の前記第１のループの十分近くに配置し、その間で信号を誘導結合する、請求項３に記載の超伝導読出しシステム。
【請求項５】
前記第１のラッチング量子ビットが、流電結合または誘導結合により前記第１の超伝導磁束量子ビットに通信結合可能である、請求項２に記載の超伝導読出しシステム。
【請求項６】
臨界温度未満で超伝導である材料で形成される量子ビットループ及び少なくとも１つのジョセフソン接合を含む第２の超伝導磁束量子ビットであって、前記可変変圧器回路の前記ＤＣ−ＳＱＵＩＤが前記第２の超伝導磁束量子ビットの前記量子ビットループに通信結合可能である、第２の超伝導磁束量子ビットと、
前記第２の超伝導磁束量子ビットの前記量子ビットループに通信結合可能な第２のラッチング量子ビットと、
前記可変変圧器回路の前記ＤＣ−ＳＱＵＩＤに通信結合可能な第３のラッチング量子ビットと、
複数の追加のラッチング量子ビットであって、前記第１のラッチング量子ビット、前記第２のラッチング量子ビット、及び前記第３のラッチング量子ビットのそれぞれが前記複数の追加のラッチング量子ビットに通信結合可能であり、それにより前記ＤＣ−ＳＱＵＩＤは、前記第１のラッチング量子ビット、前記第３のラッチング量子ビット、及び前記複数の追加のラッチング量子ビットの少なくとも第１のサブセットを介して前記第１の超伝導磁束量子ビットに通信結合可能であり、前記ＤＣ−ＳＱＵＩＤは、前記第２のラッチング量子ビット、前記第３のラッチング量子ビット、及び前記複数の追加のラッチング量子ビットの少なくとも第２のサブセットを介して前記第２の超伝導磁束量子ビットに通信結合可能である、複数の追加のラッチング量子ビットと
を含む、請求項２に記載の超伝導読出しシステム。
【請求項７】
前記複数の追加のラッチング量子ビットが、超伝導シフトレジスタとして動作するように構成され配置される、請求項６に記載の超伝導読出しシステム。
【請求項８】
前記複数の追加のラッチング量子ビットが、マルチプレクサ回路として動作するように構成され配置される、請求項６に記載の超伝導読出しシステム。
【請求項９】
前記第３のラッチング量子ビットが、流電結合または誘導結合により前記可変変圧器回路の前記ＤＣ−ＳＱＵＩＤに通信結合可能である、請求項６に記載の超伝導読出しシステム。
【請求項１０】
前記第１のラッチング量子ビット、前記第２のラッチング量子ビット、及び前記第３のラッチング量子ビットのそれぞれが、流電結合または誘導結合により、前記複数の追加のラッチング量子ビット内のそれぞれの追加のラッチング量子ビットに通信結合可能である、請求項６に記載の超伝導読出しシステム。
【請求項１１】
励起電圧を発生させ、それにより経時変化する駆動電流を前記信号入力線内にもたらすための信号入力源
をさらに含む、請求項１に記載の超伝導読出しシステム。
【請求項１２】
前記信号出力線の特性に応答し、前記第１の超伝導磁束量子ビットの状態を示す、前記可変変圧器回路を通る伝送電力を求める装置
をさらに含む、請求項１１に記載の超伝導読出しシステム。
【請求項１３】
前記装置が、電圧振幅、電圧位相、電流振幅、及び電流位相のうちの少なくとも１つに応答する、請求項１２に記載の超伝導読出しシステム。
【請求項１４】
請求項１から１３の任意の組合せによる、超伝導読出しシステム。
【請求項１５】
超伝導磁束量子ビットの状態を読み出す方法であって、
前記超伝導磁束量子ビットの前記状態を表す磁束を前記超伝導磁束量子ビットからＤＣ−ＳＱＵＩＤに結合するステップであって、前記ＤＣ−ＳＱＵＩＤは信号入力線に対して一次インダクタと電気的に並列結合される、結合するステップと、
経時変化する駆動電流を信号入力源によって前記信号入力線内に加えるステップであって、それにより前記経時変化する駆動電流の一部が前記一次インダクタを経由する、加えるステップと、
前記一次インダクタを二次インダクタに誘導結合するステップであって、前記二次インダクタは信号出力線と電気的に直列結合され、それにより経時変化する出力信号が前記信号出力線を介して伝送される、誘導結合するステップと、
前記超伝導磁束量子ビットの前記状態を示す前記経時変化する出力信号の特性を求めるステップと
を含む方法。
【請求項１６】
前記経時変化する駆動電流を前記ＤＣ−ＳＱＵＩＤと前記一次インダクタとの間で分けるステップをさらに含み、それにより前記経時変化する駆動電流の第１の部分が前記ＤＣ−ＳＱＵＩＤを経由し、前記経時変化する駆動電流の第２の部分が前記一次インダクタを経由し、前記ＤＣ−ＳＱＵＩＤを経由する前記経時変化する駆動電流の前記第１の部分は前記超伝導磁束量子ビットの前記状態に依存する、請求項１５に記載の方法。
【請求項１７】
前記一次インダクタを経由する前記経時変化する駆動電流の前記第２の部分は、前記超伝導磁束量子ビットが０の状態にある場合は前記経時変化する駆動電流の第１の部分を表し、前記超伝導磁束量子ビットが１の状態にある場合は前記経時変化する駆動電流の第２の部分を表す、請求項１６に記載の方法。
【請求項１８】
経時変化する駆動電流を加えるステップが、マイクロ波の周波数範囲内の周波数を有するＡＣ駆動電流を加えるステップを含む、請求項１５に記載の方法。
【請求項１９】
前記超伝導磁束量子ビットの前記状態を表す磁束を前記超伝導磁束量子ビットからＤＣ−ＳＱＵＩＤに結合するステップが、ラッチ状態を規定するためにラッチング量子ビットを用いて前記超伝導磁束量子ビットの前記状態をラッチし、前記ラッチング量子ビットから前記ＤＣ−ＳＱＵＩＤに前記ラッチ状態を結合するステップを含む、請求項１５に記載の方法。
【請求項２０】
前記ラッチング量子ビットから前記ＤＣ−ＳＱＵＩＤに前記ラッチ状態を結合するステップが、複数の追加のラッチング量子ビットを含む経路指定システムを介し、前記ラッチング量子ビットから前記ＤＣ−ＳＱＵＩＤに前記ラッチ状態を逐次的に経路指定するステップを含む、請求項１９に記載の方法。
【請求項２１】
請求項１５から２０の任意の組合せによる方法。
【請求項２２】
複数の超伝導磁束量子ビット内の各超伝導磁束量子ビットの状態を読み出す方法であって、
複数のラッチ状態を規定するためにそれぞれのラッチング量子ビットを用いて各超伝導磁束量子ビットの前記状態をラッチするステップと、
複数の追加のラッチング量子ビットを含む経路指定システムに前記ラッチ状態を結合するステップと、
第１の超伝導磁束量子ビットに対応する前記ラッチ状態を前記経路指定システムからＤＣ−ＳＱＵＩＤに結合するステップであって、前記ＤＣ−ＳＱＵＩＤは信号入力線に対して一次インダクタと電気的に並列結合される、結合するステップと、
経時変化する駆動電流を信号入力源を用いて前記信号入力線内に加えるステップであって、それにより前記経時変化する駆動電流の一部が前記一次インダクタを経由する、加えるステップと、
前記一次インダクタを二次インダクタに誘導結合するステップであって、前記二次インダクタは信号出力線と電気的に直列結合され、それにより経時変化する出力信号が前記信号出力線を介して伝送される、誘導結合するステップと、
前記第１の超伝導磁束量子ビットの前記状態を求めるために前記経時変化する出力信号の特性を求めるステップと、
第２の超伝導磁束量子ビットに対応するラッチ状態を前記経路指定システムから前記ＤＣ−ＳＱＵＩＤに結合するように前記経路指定システムを動作させるステップと、
前記第２の超伝導磁束量子ビットに対応する前記ラッチ状態を前記経路指定システムから前記ＤＣ−ＳＱＵＩＤに結合するステップと、
経時変化する駆動電流を前記信号入力源を用いて前記信号入力線内に加えるステップであって、それにより前記経時変化する駆動電流の一部が前記一次インダクタを経由する、加えるステップと、
前記一次インダクタを前記二次インダクタに誘導結合するステップであって、それにより経時変化する出力信号が前記信号出力線を介して伝送される、誘導結合するステップと、
前記第２の超伝導磁束量子ビットの前記状態を求めるために前記経時変化する出力信号の特性を求めるステップと
を含む方法。
【請求項２３】
追加の超伝導磁束量子ビットに対応する前記ラッチ状態を前記経路指定システムから前記ＤＣ−ＳＱＵＩＤに結合するように前記経路指定システムを動作させるステップと、
前記追加の超伝導磁束量子ビットに対応する前記ラッチ状態を前記経路指定システムから前記ＤＣ−ＳＱＵＩＤに結合するステップと、
経時変化する駆動電流を前記信号入力源を用いて前記信号入力線内に加えるステップであって、それにより前記経時変化する駆動電流の一部が前記一次インダクタを経由する、加えるステップと、
前記一次インダクタを前記二次インダクタに誘導結合するステップであって、それにより経時変化する出力信号が前記信号出力線を介して伝送される、誘導結合するステップと、
前記追加の超伝導磁束量子ビットの前記状態を求めるために前記経時変化する出力信号の特性を求めるステップと
をさらに含む、請求項２２に記載の方法。
【請求項２４】
前記経路指定システムの動作と位相同期されたマイクロ波周波数を有するＡＣ駆動電流を加えるために前記信号入力源を使用する、請求項２２に記載の方法。
【請求項２５】
請求項２２から２４の任意の組合せによる方法。
【発明の詳細な説明】
【技術分野】
【０００１】
関連出願の相互参照
米国特許法第１１９条（ｅ）の下、本願は、２０１０年１１月１１日に出願され、参照によりその全体を本明細書に援用する「超伝導磁束量子ビット読出しのためのシステム及び方法」と題された米国仮特許出願第６１／４１２，６９１号の利益を主張する。
【０００２】
背景
分野
本システム及び方法は、一般に超伝導磁束量子ビットを実行する超伝導量子プロセッサのための読出し方式に関する。
【背景技術】
【０００３】
超伝導量子ビット
量子コンピュータで使用することを検討中の多くの異なるハードウェア及びソフトウェアの手法がある。あるハードウェア手法は、アルミニウム及び／またはニオビウムなどの超伝導材料で形成される集積回路を用いて超伝導量子ビットを特徴付ける。超伝導量子ビットは、情報を符号化するために使用される物理的特性に応じていくつかのカテゴリに分けることができる。例えば、超伝導量子ビットは、荷電装置、磁束装置、及び位相装置に分けることができる。荷電装置は、装置の荷電状態において情報を記憶／操作し、磁束装置は、装置のある部分を通る磁束に関する変量において情報を記憶／操作し、位相装置は、位相装置の２つの領域間の超伝導相の差に関する変量において情報を記憶／操作する。
【０００４】
当技術分野では、超伝導磁束量子ビットの多くの異なる形態が実施されているが、成功した全ての実装形態が、一般に少なくとも１つのジョセフソン接合によって遮断される超伝導ループ（すなわち「量子ビットループ」）を含む。一部の実施形態では、直列及び／または並列に接続される複数のジョセフソン接合（すなわち複合ジョセフソン接合）を実装し、一部の実施形態では複数の超伝導ループを実装する。
【０００５】
量子プロセッサ
量子プロセッサは、超伝導量子プロセッサの形態をとることができる。超伝導量子プロセッサは、いくつかの量子ビット及び関連する局所バイアス装置、例えば２つ以上の超伝導量子ビットを含むことができる。超伝導量子プロセッサは、量子ビット間の通信結合をもたらす結合装置（すなわち「結合器」）を使用することもできる。本システム及び方法と併せて使用することができる例示的な量子プロセッサのさらなる詳細及び実施形態が、米国特許第７，５３３，０６８号、米国特許第８，００８，９４２号、米国特許出願公開第２００８−０１７６７５０号、米国特許出願公開第２００９−０１２１２１５号、及びＰＣＴ特許出願公開第２００９−１２０６３８号（今は米国特許出願公開第２０１１−００２２８２０号）に記載されている。
【０００６】
断熱的量子計算
断熱的量子計算は、分かっている初期ハミルトニアン（ハミルトニアンとは、その固有値がシステムの許容エネルギーである演算子である）からのシステムを、ハミルトニアンを徐々に変えることにより、最終ハミルトニアンに発展させることを一般に含む。断熱発展の単純な一例は次の通りであり、
Ｈｅ＝（１−ｓ）Ｈｉ＋ｓＨｆ
ただしＨｉは初期ハミルトニアンであり、Ｈｆは最終ハミルトニアンであり、Ｈｅは発展または瞬間ハミルトニアンであり、ｓは発展の速度を制御する発展係数である。システムが発展するときｓ係数ｓは０から１になり、そのため開始時（すなわちｓ＝０）には発展ハミルトニアンＨｅは初期ハミルトニアンＨｉに等しく、終了時（すなわちｓ＝１）には発展ハミルトニアンＨｅは最終ハミルトニアンＨｆに等しい。発展が開始する前に、典型的にはシステムを初期ハミルトニアンＨｉの基底状態に初期化し、目標は、発展の終了時にシステムが最終ハミルトニアンＨｆの基底状態となるようにシステムを発展させることである。発展が速過ぎる場合、システムは第１の励起状態などのより高いエネルギー状態に励起させることができる。本システム及び方法では、「断熱」発展は以下の断熱条件を満たす発展であると考え、
【数１】
2014504057.tif 000003
ただし
【数２】
2014504057.tif 000004
はｓの時間導関数であり、ｇ（ｓ）はｓの関数としてのシステムの基底状態と第１の励起状態との間のエネルギー差（本明細書では「ギャップサイズ」とも呼ぶ）であり、δは１よりも極めて小さい係数である。
【０００７】
断熱的量子計算における発展過程をアニーリングと呼ぶ場合がある。ｓが変化する速度は発展またはアニーリングスケジュールとも呼ばれ、通常はシステムが発展している間は常に発展ハミルトニアンの瞬間的基底状態にあるように十分遅く、反交差（すなわち、ギャップサイズが最小のとき）における遷移が避けられる。断熱的量子計算システム、方法、及び装置に関するさらなる詳細は、米国特許第７，１３５，７０１号及び米国特許第７，４１８，２８３号に記載されている。
【０００８】
量子アニーリング
量子アニーリングとは、通常好ましくはシステムの基底状態である低エネルギー状態を見つけるために利用できる計算方法である。本方法は古典的アニーリングと概念的に類似しており、より低いエネルギー状態はより安定しているので、自然のシステムはより低いエネルギー状態へ向かう傾向にあるという原理に依拠する。しかし、古典的アニーリングがシステムをその大域的なエネルギー極小に導くために古典的な熱ゆらぎを用いるのに対し、量子アニーリングは古典的アニーリングよりも正確にかつ／または速く大域的なエネルギー極小に到達するよう、量子トンネリングなどの量子効果を用いることができる。システムのハミルトニアンの基底状態内に組合せ最適化問題などの困難問題の解が符号化され得ることが分かっており、したがって量子アニーリングを用いてそのような困難問題の解を見つけることができる。断熱的量子計算は、理想的にはシステムがその基底状態で始まり、断熱発展の全体を通して基底状態のままである量子アニーリングの特別な事例である。したがって、量子アニーリングシステム及び方法は、一般に断熱量子コンピュータ上で実施でき、逆の場合も同様であることを当業者なら理解されよう。文脈上他の意味に解すべき場合を除き、本明細書及び添付の特許請求の範囲の全体を通して、量子アニーリングへのいかなる言及も断熱量子計算を包含することを意図する。
【０００９】
量子アニーリングとは、アニーリング過程中の無秩序の源(source of disorder)として量子力学を利用するアルゴリズムである。最適化問題はハミルトニアンＨＰ内で符号化され、本アルゴリズムはＨＰとやり取り(commute with)しない無秩序化ハミルトニアンＨＤを加えることにより強い量子ゆらぎを導入する。一事例を次式に示す。
ＨＥ＝ＨＰ＋ΓＨＤ
ただし、Γは発展中に大きな値からほぼゼロにまで変化し、ＨＥは上記の断熱的量子計算の文脈で説明したＨｅと同様の発展ハミルトニアンとして考えることができる。無秩序は、ＨＤを除去（すなわちΓを低減）することにより徐々に取り除かれる。したがって量子アニーリングは、システムが初期ハミルトニアンで始まり、発展ハミルトニアンを通し、その基底状態が問題の解を符号化する最終の「問題」ハミルトニアンＨＰに発展するという点で断熱的量子計算と似ている。発展が十分に遅い場合、システムは通常、厳密解に近い局所極小に落ち着くことになる。残留エネルギー（目的関数を用いた厳密解からの距離）対発展時間により、計算性能を評価することができる。計算時間は、ある許容可能閾値未満の残留エネルギーを発生させるのに必要な時間である。量子アニーリングでは、ＨＰは最適化問題を符号化することができ、したがってＨＰは解を符号化する量子ビットの部分空間において対角とすることができるが、システムは必ずしも常に基底状態にとどまるとは限らない。ＨＰのエネルギー景観は、その大域的極小が解こうとする問題の解であり、低い局所極小が良好な近似であるように作ることができる。
【００１０】
量子アニーリングにおけるΓの緩やかな低減はアニーリングスケジュールとして知られる規定スケジュールに従い得る。システムがその基底状態で始まり、発展の全体を通して基底状態のままである断熱的量子計算の従来の形式とは異なり、量子アニーリングでは、システムは全アニーリングスケジュールを通してその基底状態のままでなくてもよい。そのため、基底状態のエネルギー近傍のエネルギーを有する低エネルギー状態が問題の近似解を与えることができる発見的技法として量子アニーリングを実施することができる。
【００１１】
断熱的量子計算及び量子アニーリングにおける磁束量子ビット読出し
断熱的量子計算及び量子アニーリングの両方において、量子ビットのネットワークを第１の構成で開始し、アニーリングスケジュールに従って量子過程により第２の構成に発展させる。第２の構成は、量子発展の終了時における量子ビットの状態によって規定される。量子ビットの状態は、読出しシステムを用いて読み出される。断熱的量子計算及び量子アニーリングの重要な特徴は、量子ビットの状態を通常は量子発展が終了するアニーリングスケジュールの終了時にのみ読み出せばよいことである。つまり、読み出される量子ビットの状態は実際には古典的状態である。
【００１２】
断熱的量子計算及び／または量子アニーリングを実行するように設計されたプロセッサ内の磁束量子ビット読出しのシステム及び方法は、典型的には量子発展の終了時に単に量子ビットの古典的な０及び１の状態を読み出すために使用される。これは、読出しシステムが計算過程の間に量子ビットの状態を破壊することなしに探る必要があり得るゲートモデル及び／または回路モデル量子計算を実行するように設計されたプロセッサ内の読出しシステム及び方法とは対照的である。
【００１３】
超伝導磁束量子ビットの古典的な０及び１の状態は、一般に量子ビットループ内の時計回り及び反時計回りの循環電流に関連する（それぞれに、だが方向の割り当ては任意であり、すなわち０の状態が時計回りの循環電流に関連することができるのに対し、１の状態は反時計回りの循環電流に関連し、または０の状態が反時計回りの循環電流に関連することができるのに対し、１の状態は時計回りの循環電流に関連する）。量子ビットループ内の循環電流は一般に、結果として作り出される磁場（または磁束）の方向から循環電流の方向を推測することにより間接的に測定される。例えば図１Ａは、量子ビットループ１０１ａ及び複合ジョセフソン接合１０２ａを有する超伝導磁束量子ビット１００ａの概略図である。量子ビット１００ａを例示的な０の状態で図示し、矢印１１０ａによって示すように量子ビットループ１０１ａ内の循環電流は時計回りの方向に流れる。量子ビットループ１０１ａ内の時計回りの循環電流１１０ａは、図１Ａのページ内への方向を有する磁場１２０ａを作り出す。量子ビット１００ａの０の状態は、ＤＣ−ＳＱＵＩＤなどの磁気計を量子ビットループ１０１ａの十分近くに配置し、少なくとも磁場１２０ａの方向を求めることによって読み出すことができる。
【００１４】
逆に、図１Ｂは、量子ビットループ１０１ｂ及び複合ジョセフソン接合１０２ｂを有する超伝導磁束量子ビット１００ｂの概略図である。量子ビット１００ｂを例示的な１の状態で図示し、矢印１１０ｂによって示すように量子ビットループ１０１ｂ内の循環電流は反時計回りの方向に流れる。量子ビットループ１０１ｂ内の反時計回りの循環電流１１０ｂは、図１Ｂのページ外への方向を有する磁場１２０ｂを作り出す。量子ビット１００ｂの１の状態は、ＤＣ−ＳＱＵＩＤなどの磁気計を量子ビットループ１０１ｂの十分近くに配置し、少なくとも磁場１２０ｂの方向を求めることによって読み出すことができる。当業者は、電流（または磁場）の方向と量子ビットの状態との間の割当が任意であることを理解されよう。
【００１５】
図２は、ＤＣ−ＳＱＵＩＤ磁気計２０１を用いて超伝導磁束量子ビット２０２の古典的状態を読み出す読出しシステム２００の概略図である。先に述べたように、量子ビット２０２の状態は量子ビットループ２１１内の循環電流の方向によって示される。量子ビット２０２は、矢印２５０によって示すように時計回りの循環電流を有する０の状態で図示する。時計回りの循環電流は、図２のページ内への方向を有する磁場２６０を作り出す。磁場２６０がＤＣ−ＳＱＵＩＤ磁気計２０１に誘導結合されるように（例えば点線矢印２７０で示す）、量子ビット２０２の量子ビットループ２１１をＤＣ−ＳＱＵＩＤ磁気計２０１の十分近くに配置する。このようにして、量子ビット２０２の状態をＤＣ−ＳＱＵＩＤ磁気計２０１によって測定し、またさもなければ突き止める（すなわち読み出す）。
【００１６】
図２に示す読出しシステム２００は、当技術分野でよく知られている。それにもかかわらず、読出し事象がかなりのエネルギー散逸を伴い得るので、読出しシステム２００の実際の実装は問題をはらむことがある。ＤＣ−ＳＱＵＩＤ２０１は、必然的に熱を発生させ、その結果量子ビット２０２の温度を上げる電圧状態に切り替わることにより量子ビット２０２の状態を指示する。
【００１７】
超伝導量子ビットの性能特性は、超伝導量子ビットを動作させる温度の影響を強く受けることが分かっている。一般に、超伝導量子ビットを可能な限り低温で、典型的には〜２０ｍＫ程度で動作させることが有利である。読出しシステム２００は電圧状態に切り替わったＤＣ−ＳＱＵＩＤ２０１を使用するので、読出しシステム２００の動作は不所望に量子ビット２０１を加熱し、量子ビット２０１の性能特性に悪影響を及ぼす。したがって、読出しシステム２００を動作させた後、量子ビット２０１を用いてさらなる計算または発展を行う前に、量子ビット２０１が再び冷却し（すなわち「熱化し」）、その基底温度に戻るのを待つ必要がある。
【００１８】
先に述べたように、断熱的量子計算及び量子アニーリングの応用例では、典型的には量子発展の終了時に量子ビットの古典的状態を求めることだけが望まれる。単一の計算では、読出し後に必要とされる量子ビットのさらなる発展はないが、読出しシステム２００の加熱効果は依然として問題をはらむことがある。それは、読出し確率の分布を求めるために、計算の単一の反復後でさえ複数の読出し操作を実行することが往々にして有利だからである。この場合、システムがより低い温度に戻ることを可能にするために、連続した読出し操作を熱化時間によって分ける必要がある。さらに、断熱的量子計算及び量子アニーリングは計算を行うための本質的に発見的な手法であり、したがって一般に複数の反復を実行することで恩恵を受けることができる。例えば、断熱的量子計算または量子アニーリングを用いて問題を解くために、断熱的量子計算または量子アニーリングアルゴリズムの複数の反復を実行し、問題の解として「最良の」出力を選択することが好ましい場合がある。つまり、量子プロセッサの量子ビットを第１の構成に初期化し、量子プロセッサの量子ビットを第２の構成に発展させ、量子ビットの状態を読み出し、量子ビットを第１の構成に再び初期化し、次いで量子ビットを第１の構成に再初期化し、量子ビットを第２の構成に再発展させ、量子ビットの状態を再び読み出すことで第２の反復を繰り返し、その後何らかの解の基準を満たす解が出力されるまで追加の反復を再び繰り返すこと等により、好ましくは計算問題を解くことができる。
【発明の概要】
【発明が解決しようとする課題】
【００１９】
上述の断熱的量子計算及び量子アニーリングについての反復的手法では、第１の反復の読出し後に量子ビットが再び冷却するのを第２の反復に進む前に待つ必要があるので、読出しシステム２００内のＤＣ−ＳＱＵＩＤ２０１の加熱効果が著しい「熱化遅延」を生ぜしめる可能性がある。使用される冷却システムの冷却能力及び量子ビットへの熱的接続の質にもよるが、結果として生じる熱化遅延は計算問題の満足のいく解をもたらすのにかかる時間を大幅に長くすることがある。したがって、これらの熱化遅延を減らしまたはなくし、それにより反復的な断熱的量子計算及び量子アニーリングアルゴリズムの全体的な性能速度を高める読出しシステムが当技術分野で依然として求められている。
【課題を解決するための手段】
【００２０】
簡単な概要
超伝導読出しシステムは、臨界温度未満で超伝導である材料で形成される量子ビットループ及び少なくとも１つのジョセフソン接合を含む第１の超伝導磁束量子ビットと、信号入力線と、信号出力線と、ＤＣ−ＳＱＵＩＤ、一次インダクタ、及び二次インダクタを含む可変変圧器回路(variable transformer circuit)とを含み、ＤＣ−ＳＱＵＩＤは第１の超伝導磁束量子ビットの量子ビットループに通信結合可能であり、ＤＣ−ＳＱＵＩＤと一次インダクタとが信号入力線に対して互いに電気的に並列接続され、一次インダクタ及び二次インダクタが、その間で信号を誘導結合するために互いに十分近く配置され、二次インダクタが信号出力線と電気的に直列接続されるものとして要約することができる。一部の実施形態は、超伝導材料の第１のループ及び超伝導材料の第１のループを遮断する複合ジョセフソン接合を含む第１のラッチング量子ビットをさらに含むことができ、複合ジョセフソン接合は、少なくとも２つのジョセフソン接合によって遮断される超伝導材料の閉ループを含み、超伝導材料の第１のループ及び複合ジョセフソン接合が閉じた超伝導電流経路を形成し、第１のラッチング量子ビットの超伝導材料の第１のループが、第１の超伝導磁束量子ビットの量子ビットループに通信結合可能であり、それによりＤＣ−ＳＱＵＩＤは、第１のラッチング量子ビットを介して第１の超伝導磁束量子ビットの量子ビットループに通信結合可能である。一部の実施形態は、超伝導材料の第１のループ及び超伝導材料の第１のループを遮断する複合ジョセフソン接合を含む少なくとも１つの追加のラッチング量子ビットをさらに含むことができ、複合ジョセフソン接合は、少なくとも２つのジョセフソン接合によって遮断される超伝導材料の閉ループを含み、超伝導材料の第１のループ及び複合ジョセフソン接合が閉じた超伝導電流経路を形成し、少なくとも１つの追加のラッチング量子ビットの超伝導材料の第１のループが、第１のラッチング量子ビットに通信結合可能であり、それによりＤＣ−ＳＱＵＩＤは、第１のラッチング量子ビット及び少なくとも１つの追加のラッチング量子ビットを介して第１の超伝導磁束量子ビットの量子ビットループに通信結合可能である。第１のラッチング量子ビットの超伝導材料の第１のループを、少なくとも１つの追加のラッチング量子ビットの超伝導材料の第１のループの十分近くに配置し、その間で信号を誘導結合することができる。第１のラッチング量子ビットは、流電結合または誘導結合により第１の超伝導磁束量子ビットに通信結合可能とすることができる。
【００２１】
一部の実施形態では、超伝導読出しシステムが、臨界温度未満で超伝導である材料で形成される量子ビットループ及び少なくとも１つのジョセフソン接合を含む第２の超伝導磁束量子ビットであって、可変変圧器回路のＤＣ−ＳＱＵＩＤが第２の超伝導磁束量子ビットの量子ビットループに通信結合可能である、第２の超伝導磁束量子ビットと、第２の超伝導磁束量子ビットの量子ビットループに通信結合可能な第２のラッチング量子ビットと、可変変圧器回路のＤＣ−ＳＱＵＩＤに通信結合可能な第３のラッチング量子ビットと、複数の追加のラッチング量子ビットであって、第１のラッチング量子ビット、第２のラッチング量子ビット、及び第３のラッチング量子ビットのそれぞれが複数の追加のラッチング量子ビットに通信結合可能であり、それによりＤＣ−ＳＱＵＩＤは、第１のラッチング量子ビット、第３のラッチング量子ビット、及び複数の追加のラッチング量子ビットの少なくとも第１のサブセットを介して第１の超伝導磁束量子ビットに通信結合可能であり、ＤＣ−ＳＱＵＩＤは、第２のラッチング量子ビット、第３のラッチング量子ビット、及び複数の追加のラッチング量子ビットの少なくとも第２のサブセットを介して第２の超伝導磁束量子ビットに通信結合可能である、複数の追加のラッチング量子ビットとを含むことができる。複数の追加のラッチング量子ビットは、超伝導シフトレジスタとして動作するように構成し、配置することができる。あるいは複数の追加のラッチング量子ビットは、マルチプレクサ回路として動作するように構成し、配置することができる。第３のラッチング量子ビットは、流電結合または誘導結合により可変変圧器回路のＤＣ−ＳＱＵＩＤに通信結合可能とすることができる。第１のラッチング量子ビット、第２のラッチング量子ビット、及び第３のラッチング量子ビットのそれぞれは、流電結合または誘導結合により、複数の追加のラッチング量子ビット内のそれぞれの追加のラッチング量子ビットに通信結合可能とすることができる。一部の実施形態は、励起電圧を発生させ、それにより経時変化する駆動電流を信号入力線内にもたらすための信号入力源を含むことができる。一部の実施形態は、信号出力線の特性に応答し、第１の超伝導磁束量子ビットの状態を示す可変変圧器回路を通る伝送電力を求める装置を含むことができる。この装置は、電圧振幅、電圧位相、電流振幅、及び電流位相のうちの少なくとも１つに応答することができる。
【００２２】
さらなる実施形態をもたらすために上記の実施形態のどれを組み合わせてもよい。
【００２３】
超伝導磁束量子ビットの状態を読み出す方法は、超伝導磁束量子ビットの状態を表す磁束を超伝導磁束量子ビットからＤＣ−ＳＱＵＩＤに結合するステップであって、ＤＣ−ＳＱＵＩＤは信号入力線に対して一次インダクタと電気的に並列結合される、結合するステップと、経時変化する駆動電流を信号入力源によって信号入力線内に加えるステップであって、それにより経時変化する駆動電流の一部が一次インダクタを経由する、加えるステップと、一次インダクタを二次インダクタに誘導結合するステップであって、二次インダクタは信号出力線と電気的に直列接続され、それにより経時変化する出力信号が信号出力線を介して伝送される、誘導結合するステップと、超伝導磁束量子ビットの状態を示す経時変化する出力信号の特性を求めるステップとして要約することができる。一部の実施形態では、この方法は、経時変化する駆動電流をＤＣ−ＳＱＵＩＤと一次インダクタとの間で分けるステップも含むことができ、それにより経時変化する駆動電流の第１の部分がＤＣ−ＳＱＵＩＤを経由し、経時変化する駆動電流の第２の部分が一次インダクタを経由し、ＤＣ−ＳＱＵＩＤを経由する経時変化する駆動電流の第１の部分は超伝導磁束量子ビットの状態に依存する。一次インダクタを経由し得る経時変化する駆動電流の第２の部分は、超伝導磁束量子ビットが０の状態にある場合は経時変化する駆動電流の第１の部分を表し、超伝導磁束量子ビットが１の状態にある場合は経時変化する駆動電流の第２の部分を表す。経時変化する駆動電流を加えるステップは、マイクロ波の周波数範囲内の周波数を有するＡＣ駆動電流を加えるステップを含むことができる。超伝導磁束量子ビットの状態を表す磁束を超伝導磁束量子ビットからＤＣ−ＳＱＵＩＤに結合するステップは、ラッチ状態を規定するためにラッチング量子ビットを用いて超伝導磁束量子ビットの状態をラッチし、ラッチング量子ビットからＤＣ−ＳＱＵＩＤにラッチ状態を結合するステップを含むことができる。一部の実施形態では、ラッチング量子ビットからＤＣ−ＳＱＵＩＤにラッチ状態を結合するステップが、複数の追加のラッチング量子ビットを含む経路指定システムを介し、ラッチング量子ビットからＤＣ−ＳＱＵＩＤにラッチ状態を逐次的に経路指定するステップを含むことができる。
【００２４】
さらなる実施形態をもたらすために上記の実施形態のどれを組み合わせてもよい。
【００２５】
複数の超伝導磁束量子ビット内の各超伝導磁束量子ビットの状態を読み出す方法は、複数のラッチ状態を規定するためにそれぞれのラッチング量子ビットを用いて各超伝導磁束量子ビットの状態をラッチするステップと、複数の追加のラッチング量子ビットを含む経路指定システムにラッチ状態を結合するステップと、第１の超伝導磁束量子ビットに対応するラッチ状態を経路指定システムからＤＣ−ＳＱＵＩＤに結合するステップであって、ＤＣ−ＳＱＵＩＤは信号入力線に対して一次インダクタと電気的に並列結合される、結合するステップと、経時変化する駆動電流を信号入力源を用いて信号入力線内に加えるステップであって、それにより経時変化する駆動電流の一部が一次インダクタを経由する、加えるステップと、一次インダクタを二次インダクタに誘導結合するステップであって、二次インダクタは信号出力線と電気的に直列結合され、それにより経時変化する出力信号が信号出力線を介して伝送される、誘導結合するステップと、第１の超伝導磁束量子ビットの状態を求めるために経時変化する出力信号の特性を求めるステップと、第２の超伝導磁束量子ビットに対応するラッチ状態を経路指定システムからＤＣ−ＳＱＵＩＤに結合するように経路指定システムを動作させるステップと、第２の超伝導磁束量子ビットに対応するラッチ状態を経路指定システムからＤＣ−ＳＱＵＩＤに結合するステップと、経時変化する駆動電流を信号入力源を用いて信号入力線内に加えるステップであって、それにより経時変化する駆動電流の一部が一次インダクタを経由する、加えるステップと、一次インダクタを二次インダクタに誘導結合するステップであって、それにより経時変化する出力信号が信号出力線を介して伝送される、誘導結合するステップと、第２の超伝導磁束量子ビットの状態を求めるために経時変化する出力信号の特性を求めるステップとして要約することができる。一部の実施形態では、この方法は、追加の超伝導磁束量子ビットに対応するラッチ状態を経路指定システムからＤＣ−ＳＱＵＩＤに結合するように経路指定システムを動作させるステップと、追加の超伝導磁束量子ビットに対応するラッチ状態を経路指定システムからＤＣ−ＳＱＵＩＤに結合するステップと、経時変化する駆動電流を信号入力源を用いて信号入力線内に加えるステップであって、それにより経時変化する駆動電流の一部が一次インダクタを経由する、加えるステップと、一次インダクタを二次インダクタに誘導結合するステップであって、それにより経時変化する出力信号が信号出力線を介して伝送される、誘導結合するステップと、追加の超伝導磁束量子ビットの状態を求めるために経時変化する出力信号の特性を求めるステップとをさらに含むことができる。信号入力源は、経路指定システムの動作と位相同期されたマイクロ波周波数を有するＡＣ駆動電流を加えるために使用することができる。
【００２６】
さらなる実施形態をもたらすために上記の実施形態のどれを組み合わせてもよい。
【００２７】
図面の簡単な説明
図面では、同一の参照番号は類似の要素または動作を示す。図面内の要素のサイズ及び相対位置は必ずしも縮尺通りではない。例えば、様々な要素の形状及び角度は縮尺通りに描かれておらず、これらの要素の一部は、図面を分かりやすくするために任意に拡大して位置決めしている。さらに、描かれている要素の特定の形状は、特定の要素の実際の形状に関するいかなる情報を伝えることも意図しておらず、ただ単に図面を認識しやすいように選択した。
【図面の簡単な説明】
【００２８】
【図１Ａ】量子ビットループ及び複合ジョセフソン接合を有する超伝導磁束量子ビットの概略図であり、超伝導磁束量子ビットを０の状態で示している。
【図１Ｂ】量子ビットループ及び複合ジョセフソン接合を有する超伝導磁束量子ビットの概略図であり、超伝導磁束量子ビットを１の状態で示している。
【図２】ＤＣ−ＳＱＵＩＤ磁気計を用いて超伝導磁束量子ビットの古典的状態を読み出す読出しシステムの概略図である。
【図３】本システム及び方法の少なくとも１つの実施形態による超伝導読出しシステムの概略図である。
【図４】少なくとも１つの実施形態本システム及び方法による、バッファ要素としてラッチング量子ビットを使用する超伝導読出しシステムの概略図である。
【図５】少なくとも２つの超伝導磁束量子ビットから単一の読出し回路に磁束信号を経路指定するように動作可能な、超伝導シフトレジスタを含む超伝導読出しシステムの概略図である。
【図６】少なくとも１つの実施形態本システム及び方法による、超伝導磁束量子ビットの状態を読み出す方法の流れ図である。
【図７】少なくとも１つの実施形態本システム及び方法による、複数の超伝導磁束量子ビットの状態を測定するために単一の読出し回路を使用する方法の流れ図である。
【発明を実施するための形態】
【００２９】
詳細な説明
以下の説明では、開示する様々な実施形態の完全な理解を与えるために、いくつかの具体的詳細を含める。しかし、これらの具体的詳細の１つまたは複数を用いずに、または他の方法、コンポーネント、材料等を用いて実施形態を実施できることを当業者なら理解されよう。他の例では、本システム及び方法の実施形態の説明を不必要に曖昧にするのを避けるために、量子素子、結合装置、マイクロプロセッサ及び駆動回路を含む制御システムなど、量子プロセッサに関連する周知の構造を詳しくは図示しまたは説明していない。本明細書及び添付の特許請求の範囲を通して、用語「要素」は、これだけに限定されないが、量子プロセッサに関連するそのような全ての構造、システム、及び装置、ならびにそれらの関連するプログラム可能パラメータを包含するように用いる。
【００３０】
文脈上他の意味に解すべき場合を除き、以下の本明細書及び特許請求の範囲を通して、用語「含む（comprise）」及び「含む（comprisesやcomprising）」などのその変形体は、「含むがそれだけに限定されない」のように排他的でなく、包括的な意味で解釈すべきである。
【００３１】
本明細書を通して「一実施形態」または「実施形態」もしくは「別の実施形態」と言及する場合、実施形態に関して説明する特定の指示対象の特徴、構造、または特性が少なくとも１つの実施形態に含まれることを意味する。したがって、本明細書を通して様々な個所で出現する表現「一実施形態では」または「実施形態では」もしくは「別の実施形態」は、必ずしも全て同じ実施形態を指すものではない。さらに、特定の特徴、構造、または特性を１つまたは複数の実施形態において任意の適した方法で組み合わせることができる。
【００３２】
本明細書及び添付の特許請求の範囲で使用するとき、文脈において明白に指示しない限り、単数形「a」、「an」、及び「the」は複数の指示対象を含むことに留意されたい。したがって、例えば「量子プロセッサ」を含む問題解決システムへの言及は、単一の量子プロセッサ、または２つ以上の量子プロセッサを含む。文脈において明白に指示しない限り、用語「または」は一般に、「及び／または」を含む意味で用いることにも留意されたい。
【００３３】
本明細書に示す見出しは便宜上のものに過ぎず、実施形態の範囲または意味を説明するものではない。
【００３４】
本明細書に記載する様々な実施形態は、超伝導磁束量子ビット読出しのシステム及び方法を提供する。特に、本明細書に記載する読出しシステム及び方法は、当技術分野で既に知られている技法（図２の読出しシステム２００など）よりも少ないエネルギーを散逸させながら超伝導磁束量子ビットの古典的状態を測定することを目的とする。これは、かなりのエネルギーをどの装置にも不所望に散逸させることなしに、量子ビット信号が可変変圧器回路を通る伝送電力に影響を及ぼすように、量子ビット信号を可変変圧器回路内に結合することによって達成される。
【００３５】
図３は、本システム及び方法の少なくとも１つの実施形態による超伝導読出しシステム３００を示す。読出しシステム３００は、超伝導磁束量子ビット３０１及び読出し回路３０２を含む。超伝導磁束量子ビット３０１は、臨界温度未満で超伝導である材料で形成される量子ビットループ３１１及び複合ジョセフソン接合３１２を含む。読出し回路３０２は、信号入力線３２１、量子ビット３０１の量子ビットループ３１１に通信結合可能な（例えば誘導結合される）可変変圧器回路３２２、及び信号出力線３２３を含む。可変変圧器回路３２２は、ＤＣ−ＳＱＵＩＤ３３１、信号入力線３２１に対してＤＣ−ＳＱＵＩＤ３３１と電気的に並列結合される一次インダクタ３３２、及び間で信号を誘導結合するために一次インダクタ３３２の十分近くに配置される二次インダクタ３３３を含む。二次インダクタ３３３は、信号出力線３２３と電気的に直列結合される。次に読出しシステム３００の動作について説明する。
【００３６】
ＤＣ−ＳＱＵＩＤ３３１は、量子ビット３０１の量子ビットループ３１１に通信結合可能である（例えば誘導結合される）。代替的実施形態では、ＤＣ−ＳＱＵＩＤ３３１を量子ビット３０１の量子ビットループ３１１に流電結合することができる。したがって、（図１Ａ、図１Ｂ、及び図２に関して記載したように）量子ビット３０１の状態を表す磁束が、量子ビット３０１からＤＣ−ＳＱＵＩＤ３３１に結合される。一部の実施形態では、明瞭さを高めるために図３から省略した磁束バイアス線にＤＣ−ＳＱＵＩＤ３３１を通信結合可能としてもよい（例えば誘導結合される）。ＤＣ−ＳＱＵＩＤ３３１の磁束バイアスは、例えばＤＣ−ＳＱＵＩＤ３３１の実効臨界電流（すなわちＤＣ−ＳＱＵＩＤがそのジョセフソン接合の臨界電流のどれ位近くで動作するのか）を制御するために用いることができる。ＤＣ−ＳＱＵＩＤ３３１内の全磁束はＤＣ−ＳＱＵＩＤ３３１の実効臨界電流を制御し、つまりＤＣ−ＳＱＵＩＤ３３１内の全磁束は、ＤＣ−ＳＱＵＩＤ３３１をその電圧状態に切り替えさせてエネルギーを散逸させることなしに、信号入力線３２１からＤＣ−ＳＱＵＩＤ３３１を通すことができる電流の最大量を制御する。ＤＣ−ＳＱＵＩＤ３３１内の全磁束は、磁束バイアス線から加えられる磁束に、量子ビット３０１からＤＣ−ＳＱＵＩＤ３３１内に結合される磁束を加えたものに等しい。
【００３７】
図３には可変変圧器回路３２２に流電結合された信号入力線３２１を示すが、代替的実施形態では、信号入力線３２１を可変変圧器回路３２２に誘導結合してもよい。
【００３８】
読出し回路３０２はｖｉｎの励起電圧（例えばＡＣ電圧などの経時変化する信号）によって駆動され、結果として生じる駆動電流（例えばＡＣ駆動電流などの経時変化する駆動電流）を２つの経路、つまりＤＣ−ＳＱＵＩＤ３３１及び一次インダクタ３３２によって接地に分路させる。したがって少なくとも一部の実施形態は、励起電圧を発生させ、それにより経時変化する駆動電流を信号入力線３２１内にもたらすｖｉｎにおける信号入力源を含む。駆動電流は２つの並列経路間で分け、つまり駆動電流の第１の部分をＤＣ−ＳＱＵＩＤ３３１を通し、駆動電流の第２の部分（すなわち残り）は一次インダクタ３３２を通す。ＤＣ−ＳＱＵＩＤ３３１を通る駆動電流の第１の部分は、ＤＣ−ＳＱＵＩＤ３３１内にある全磁束に依存する。言い換えれば、ＤＣ−ＳＱＵＩＤ３３１を通る駆動電流の第１の部分は、ＤＣ−ＳＱＵＩＤ３３１の実効臨界電流に依存する。ＤＣ−ＳＱＵＩＤ３３１がその臨界電流を超える場合、ＤＣ−ＳＱＵＩＤ３３１は電圧状態に切り替わり、抵抗性があるようになる。一次インダクタ３３２はＤＣ−ＳＱＵＩＤ３３１を効果的に分路し、ＤＣ−ＳＱＵＩＤ３３１が抵抗性があるようになることを防ぐ。ＤＣ−ＳＱＵＩＤ３３１内の全磁束は量子ビット３０１の状態に依存するので、一次インダクタ３３２を通る駆動電流の第２の部分は、量子ビット３０１が０の状態にある場合は全駆動電流の第１の部分を表し、量子ビット３０１が１の状態にある場合は全駆動電流の第２の部分を表す。一次インダクタ３３２は二次インダクタ３３３と通信結合可能であり（例えば誘導結合され）、それによりｖｉｎに由来する励起電圧は、信号出力線３２３を通るｖｏｕｔの出力電圧（例えばＡＣ出力電圧などの経時変化する出力信号）を発生させる。ｖｏｕｔの出力電圧の振幅及び／または位相は、量子ビット３０１の状態を示す。したがって一部の実施形態は、信号出力線３２３の特性を測定し、感知し、または他の方法で求めるための測定装置またはセンサを含み、それにより量子ビット３０１の状態を示す可変変圧器回路３２２を通る伝送電力を測定し、感知し、または他の方法で求める。測定され、感知され、または他の方法で求められる信号出力線３２３の特性には、電流及び／または電圧の方向及び／または大きさ、ならびに／または位相が含まれ得る。
【００３９】
例えば量子ビット３０１が０の状態にあるとき、ＤＣ−ＳＱＵＩＤ３３１は第１の実効臨界電流で動作し、駆動電流の第１の部分が一次インダクタ３３２によって分路され、二次インダクタ３３３に誘導結合される。この駆動電流の第１の部分は、量子ビット３０１の０の状態に対応するｖｏｕｔの第１の出力電圧を引き起こす。あるいは量子ビット３０１が１の状態にあるとき、ＤＣ−ＳＱＵＩＤ３３１は第２の実効臨界電流で動作し、駆動電流の第２の部分が一次インダクタ３３２によって分路され、二次インダクタ３３３に誘導結合される。この駆動電流の第２の部分は、量子ビット３０１の１の状態に対応するｖｏｕｔの第２の出力電圧を引き起こす。したがって読出しシステム３００は、可変変圧器回路３２２を通る伝送電力を測定することにより、どのコンポーネントも電圧状態に切り替えさせ、著しいエネルギーを散逸させることなしに、量子ビット３０１の０の状態と１の状態とを区別する方法を与える。読出しシステム３００はほぼ無散逸であり、例えば断熱的量子計算及び／または量子アニーリングを実行するように設計された超伝導量子プロセッサでの使用によく適している。
【００４０】
一次インダクタ３３２はリアクタンス回路素子であり、したがって著しいエネルギーを散逸させることなしにＤＣ−ＳＱＵＩＤ３３１を分路できることを当業者なら理解されよう。
【００４１】
読出しシステム３００が動作する速度は、信号入力線３２１を通して加えられる駆動電流の周波数によって少なくとも部分的に制御することができる。従来の（図２の読出しシステム２００に関して説明したような）ＤＣ−ＳＱＵＩＤのスイッチング測定の読出し時間は、一般にμｓ台である。しかし読出しシステム３００は、信号入力線３２１を通して加えられる駆動電流に関するマイクロ波信号を一部の実施形態で実行することにより、著しく速い（例えばｎｓ）時間尺度で動作することができる。本システム及び方法では、用語「マイクロ波信号」は、一般に１００ＭＨｚから３００ＧＨｚの範囲内の周波数を有する信号を述べるために用いる。それでも、読出し回路３０２及び／または量子ビット３０１内にノイズがあることにより、読出しシステム３００を実際に動作させることができる速度が制限され得ることを当業者なら理解されよう。一部の実施形態では、約１ＧＨｚから２０ＧＨｚの範囲内の周波数を有するマイクロ波信号を用いて動作させることが好ましい場合がある。
【００４２】
一部の実施形態では、量子ビット３０１とＤＣ−ＳＱＵＩＤ３３１との間の通信結合を仲裁するためにバッファ要素を含めることが有利であり得る。そのようなバッファ要素は、例えばさもなければ量子ビット３０１の状態に不所望に影響（例えば破壊）し得る、読出し回路３０２から量子ビット３０１に対する任意の反動を減らすのに役立つことがある。本システム及び方法によれば、量子ビット３０１の量子ビットループ３１１と読出し回路３０２のＤＣ−ＳＱＵＩＤ３３１との間の通信結合は、少なくとも１つのラッチング要素、例えば米国特許第７，８４３，２０９号、米国特許第８，０１８，２４４号、米国特許出願公開第２００９−００７８９３１号、及びＰＣＴ出願公開第２００９−１４９０８６号（今は米国特許出願公開第２０１１−００６５５８６号）に記載の「ラッチング量子ビット」によって成り立つことができる。
【００４３】
超伝導磁束量子ビットは、一般に計算の要素（すなわち「計算量子ビット」）として動作させる。しかし、上記に列挙した特許出願の中で教示されるように、超伝導磁束量子ビットの電気回路はラッチング装置としても動作させることができる。本システム及び方法では、用語「超伝導磁束量子ビット」は、一般に量子プロセッサ内の計算素子として用いる量子ビット構造を述べるために使用する。逆に、用語「ラッチング量子ビット」は、量子プロセッサ内のラッチング装置として用いる類似の量子ビットのような構造を述べるために使用する。動作面では、「超伝導磁束量子ビット」は計算アルゴリズムに従って初期状態から最終状態に発展させられるのに対し、「ラッチング量子ビット」は瞬間的なソース信号をロードし、ソース信号の変動または発展にかかわらず瞬間信号を保持し、ラッチング操作が止められるまで瞬間信号を継続的に出力するための論理回路素子として用いられる。したがって、用語「ラッチング量子ビット」は、本明細書ではこの過程を実施するように構成されかつ／または結合される装置を述べるために使用するのに対し、用語「超伝導磁束量子ビット」は、本明細書では量子計算を実行するように発展する量子ビットを述べるために使用する。
【００４４】
一部の実施形態では、ラッチング量子ビットが、超伝導材料の第１のループ及び超伝導材料の第１のループを遮断する複合ジョセフソン接合（「ＣＪＪ」）を含むことができ、ＣＪＪは、少なくとも２つのジョセフソン接合によって遮断される超伝導材料の閉ループを含み、超伝導材料の第１のループ及びＣＪＪは閉じた超伝導電流経路を形成する。ラッチング量子ビットのラッチング動作は、ラッチング量子ビットのＣＪＪに結合される（例えば誘導結合される）クロック信号によって制御される。一部の実施形態では、クロック信号がパルスを発するたびに、ラッチング量子ビットが、ラッチング量子ビットの超伝導材料の第１のループに結合される（例えば流電結合または誘導結合される）入力信号をロードし、その瞬間信号を保持し、保持した瞬間信号をクロックパルスの持続時間にわたり出力（例えばラッチング量子ビットの超伝導材料の第１のループに流電結合または誘導結合される別の装置）に伝送する。
【００４５】
用語「ラッチング量子ビット」は、本明細書では米国特許第７，８４３，２０９号の中で紹介されているように基本的な回路コンポーネントまたは論理装置として実装できる量子磁束パラメトロン型の装置を述べるために使用することを当業者なら理解されよう。ラッチング量子ビットは超伝導磁束量子ビットと構造面で類似し得るが、ラッチング量子ビットは一般に量子ビットとして動作されない。
【００４６】
図４は、本システム及び方法の少なくとも１つの実施形態による、バッファ要素としてラッチング量子ビット４５０を使用する超伝導読出しシステム４００を示す。読出しシステム４００は、超伝導磁束量子ビット４０１、ラッチング量子ビット４５０、及び読出し回路４０２を含む。読出し回路４０２は図３の読出し回路３０２とほぼ同様で、ＤＣ−ＳＱＵＩＤ４３１を含む。図３の読出しシステム３００と同様に、ＤＣ−ＳＱＵＩＤ４３１は量子ビット４０１と通信結合可能だが、読出しシステム４００では、ＤＣ−ＳＱＵＩＤ４３１と量子ビット４０１との間の通信結合をラッチング量子ビット４５０が仲裁する。つまりＤＣ−ＳＱＵＩＤ４３１は、ラッチング量子ビット４５０を介して量子ビット４０１に通信結合可能である。一部の実施形態では、ＤＣ−ＳＱＵＩＤ４３１を誘導結合によってラッチング量子ビット４５０に通信結合可能とし得る一方、他の実施形態では、ＤＣ−ＳＱＵＩＤ４３１を流電結合によってラッチング量子ビット４５０に通信結合可能とすることができる。同様に、一部の実施形態では、量子ビット４０１を誘導結合によってラッチング量子ビット４５０に通信結合可能とし得る一方、他の実施形態では、量子ビット４０１を流電結合によってラッチング量子ビット４５０に通信結合可能とすることができる。ラッチング量子ビット４５０は量子ビット４０１の状態をラッチするために使用でき、読出し回路４０２は、量子ビット４０１を直接探ることなしにラッチング量子ビット４５０からラッチ状態を読み取るために使用することができる。このようにして、ラッチング量子ビット４５０は、読出し操作中に読出し回路４０２によって引き起こされる任意の反動から量子ビット４０１を隔離するのを助けることができる。一部の実施形態では、ＤＣ−ＳＱＵＩＤ４３１への強い結合に耐えるよう、ラッチング量子ビット４５０を特別に設計することができる。ラッチング量子ビット４５０のラッチング動作は、ラッチング量子ビット４５０の複合ジョセフソン接合４５１に結合されるクロック信号線４６０によって制御される。ラッチング量子ビット４５０のラッチング機構を制御することについてのさらなる詳細は、米国特許第７，８４３，２０９号、米国特許第８，０１８，２４４号、米国特許出願公開第２００９−００７８９３１号、及びＰＣＴ出願公開第２００９−１４９０８６号（今は米国特許出願公開第２０１１−００６５５８６号）の中で示されている。
【００４７】
本システム及び方法によれば、量子ビット４０１と読出し回路４０２との間の通信結合を仲裁するために、任意の数のラッチング量子ビット４５０を使用することができる。例えば一部の実施形態は、ＤＣ−ＳＱＵＩＤ４３１が第１のラッチング量子ビットを介して第１の超伝導磁束量子ビット４０１の量子ビットループに通信結合可能であるように、第１の超伝導磁束量子ビット４０１の量子ビットループに通信結合可能な第１のラッチング量子ビットを含むことができる。第１のラッチング量子ビットは、流電結合または誘導結合により第１の超伝導磁束量子ビット４０１に通信結合可能とすることができる。一部の実施形態では、ＤＣ−ＳＱＵＩＤ４３１が、第１のラッチング量子ビット及び少なくとも１つの追加のラッチング量子ビットを経由する逐次的結合により第１の超伝導磁束量子ビット４０１の量子ビットループに通信結合可能であるように、第１のラッチング量子ビットに少なくとも１つの追加のラッチング量子ビットを通信結合可能とすることができる。少なくとも１つの追加のラッチング量子ビットは、第１のラッチング量子ビットとの間で信号を誘導結合するように第１のラッチング量子ビットの十分近くに配置することができ、または少なくとも１つの追加のラッチング量子ビットは第１のラッチング量子ビットに流電結合することができる。
【００４８】
本システム及び方法によれば、磁束信号を各超伝導磁束量子ビットから読出し回路に経路指定するシステムを組み込むことにより、複数の超伝導磁束量子ビットの状態を読み出すために単一の読出し回路（例えば読出し回路３０２または４０２）を使用することができる。一部の実施形態では、磁束信号を複数の超伝導磁束量子ビットから単一の読出し回路に経路指定するシステムは、複数のラッチング量子ビットを含むことができる。
【００４９】
図５は、少なくとも２つの超伝導磁束量子ビット５０１ａ、５０１ｂから単一の読出し回路５０２に磁束信号を経路指定するように動作可能な、超伝導シフトレジスタ５６０を含む超伝導読出しシステム５００の一実施形態の概略図である。一部の実施形態では、読出しシステム５００が、例えば断熱的量子計算及び／または量子アニーリングを実行するように構成され得る超伝導量子プロセッサの少なくとも一部分を構成する。読出しシステム５００は、第１の超伝導磁束量子ビット５０１ａ及び第２の超伝導磁束量子ビット５０１ｂを含む。図示の実施形態では、第１の超伝導磁束量子ビット５０１ａが流電結合により第１のラッチング量子ビット５５１ａに通信結合可能であり、第２の超伝導磁束量子ビット５０１ｂが流電結合により第２のラッチング量子ビット５５１ｂに通信結合可能だが、第１の超伝導磁束量子ビット５０１ａと第１のラッチング量子ビット５５１ａとの間の通信結合、及び／または第２の超伝導磁束量子ビット５０１ｂと第２のラッチング量子ビット５５１ｂとの間の通信結合は、誘導結合などの代替的な結合形式を介してもよいことを当業者なら理解されよう。
【００５０】
読出しシステム５００は、米国特許第７，８４３，２０９号、米国特許第８，０１８，２４４号、及び米国特許出願公開第２００９−００７８９３１号の教示に従い、超伝導シフトレジスタ５６０として動作するように構成され配置される複数の追加のラッチング量子ビットをさらに含む。超伝導シフトレジスタ５６０は、構成要素であるラッチング量子ビットを通る伝搬の方向を制御するために、３相のクロッキングシステムを使用することができる。米国特許第７，８４３，２０９号、米国特許第８，０１８，２４４号、及び米国特許出願公開第２００９−００７８９３１号の中で教示されるように、この３相のクロッキングシステムを実現するために、複数の（例えば３本の）クロック信号線（より明瞭にするために図５には不図示）を超伝導シフトレジスタ５６０に通信結合できることを当業者なら理解されよう。
【００５１】
超伝導シフトレジスタ５６０は、読出し回路５０２内のＤＣ−ＳＱＵＩＤ５３１に通信結合可能な第３のラッチング量子ビット５５３を含む。図示のように、第３のラッチング量子ビット５５３は誘導結合によってＤＣ−ＳＱＵＩＤ５３１に通信結合可能だが、流電結合などの代替的な結合形式も同様に使用できることを当業者なら理解されよう。ＤＣ−ＳＱＵＩＤ５３１は、第１のラッチング量子ビット５５１ａ及び超伝導シフトレジスタ５６０内の（第３のラッチング量子ビット５５３を含む）複数の追加のラッチング量子ビットの少なくとも第１のサブセットを介し、第１の超伝導磁束量子ビット５０１ａの量子ビットループに通信結合可能である一方、ＤＣ−ＳＱＵＩＤ５３１は、少なくとも第２のラッチング量子ビット５５１ｂ及び超伝導シフトレジスタ５６０内の（第３のラッチング量子ビット５５３を含む）複数の追加のラッチング量子ビットの第２のサブセットを介し、第２の超伝導磁束量子ビット５０１ｂの量子ビットループに通信結合可能である。
【００５２】
動作面では、第１の超伝導磁束量子ビット５０１ａ及び第２の超伝導磁束量子ビット５０１ｂの量子ビット状態のそれぞれをラッチするために、第１のラッチング量子ビット５５１ａ及び第２のラッチング量子ビット５５１ｂを使用することができる。ラッチしたこれらの量子ビット状態は、直接または（図５に示すように）それぞれの追加のラッチング量子ビット５５２ａ及び５５２ｂを介して超伝導シフトレジスタ５６０内に結合することができる。次いで超伝導シフトレジスタ５６０を使用し、超伝導磁束量子ビット５０１ａ及び５０１ｂのラッチした量子ビット状態を、読出し回路５０２内のＤＣ−ＳＱＵＩＤ５３１に逐次的に通信結合することができる。例えば、第１の超伝導磁束量子ビット５０１ａのラッチ状態を、超伝導シフトレジスタ５６０内の第３のラッチング量子ビット５５３から読出し回路５０２内のＤＣ−ＳＱＵＩＤ５３１に通信結合することができる。次いで読出し回路５０２を使用し、第１の超伝導磁束量子ビット５０１ａの状態を表す信号を、図３の読出し回路３０２及び図４の読出し回路４０２のそれぞれに関して説明したのと同様の方法で出力することができる。第１の超伝導磁束量子ビット５０１ａのラッチ状態を読み出したら、第２の超伝導磁束量子ビット５０１ｂのラッチ状態を第３のラッチング量子ビット５５３に経路指定するように超伝導シフトレジスタ５６０を動作させることができ、次いで読出し回路５０２を使用し、第２の超伝導磁束量子ビット５０１ｂのラッチ状態を読み出すことができる。このようにして、超伝導シフトレジスタ５６０によって経路指定される任意の数の超伝導磁束量子ビットの状態を読み出すために、読出し回路５０２を使用することができる。一部の実施形態では、そのときどきでどの量子ビットの状態が読み出されているのかを追跡するのに役立つように、読出し回路５０２を制御する駆動電流の位相を超伝導シフトレジスタ５６０のクロック信号の位相と同期させることができる。一部の実施形態では、第２の量子ビットの状態に移るように超伝導シフトレジスタ５６０を動作させる前に、第１の量子ビットの状態の複数の読出し操作を実行することが有利な場合がある。そのような実施形態では、超伝導シフトレジスタ５６０が動作する周波数よりも速い周波数で読出し回路５０２を動作させることができるが、２つの信号の位相は依然として同期させることができる（例えば１００読出し回路期間当たり、１シフトレジスタ期間等）。
【００５３】
図５の読出しシステム５００の実施形態は例示目的で示し、実際には厳密な配置、構成、及び使用するラッチング量子ビットの数は代替的実施形態において異なってもよいことを当業者なら理解されよう。例えば、結合された装置間の一層の隔離をもたらし、かつ／またはラッチ信号の伝搬方向をより良く制御するために、追加のラッチング量子ビットを用いて図５に示す通信結合の一部または全てを仲裁することができる。米国特許第７，８４３，２０９号、米国特許第８，０１８，２４４号、及び米国特許出願公開第２００９−００７８９３１号は、ラッチング量子ビットを用いた超伝導シフトレジスタの様々な代替的概略図を示し、それらの改変形態のどれも、及び同様にいかなるさらなる改変形態も、本システム及び方法で同様に使用できることを当業者なら理解されよう。
【００５４】
ＰＣＴ出願公開第２００９−１４９０８６号（今は米国特許出願公開第２０１１−００６５５８６号）は、基本的なスイッチング素子としてラッチング量子ビットを使用するデマルチプレクサ回路について説明している。ラッチング量子ビットを使用するデマルチプレクサ回路をマルチプレクサ回路として代わりに逆に動作させてもよく、本システム及び方法によれば、複数の超伝導磁束量子ビットと単一の読出し回路との間の通信結合を仲裁するために、ラッチング量子ビットを使用するマルチプレクサ回路を用いることができる。つまり一部の実施形態では、読出しシステム５００内で超伝導シフトレジスタ５６０として動作するように構成され配置される複数の追加のラッチング量子ビットは、マルチプレクサ回路として動作するように代わりに構成し配置することができる。
【００５５】
本明細書に記載する様々な実施形態は、例えば超伝導量子プロセッサ内の、１つまたは多くの超伝導磁束量子ビットの状態を読み出す方法を提供する。
【００５６】
図６は、超伝導磁束量子ビットの状態を読み出す方法６００を示す。方法６００は４つの行為６０１〜６０４を含むが、代替的実施形態では、方法６００の様々な応用例において特定の行為を省くことができかつ／または追加の行為もしくはステップを含めてもよいことを当業者なら理解されよう。６０１で、超伝導磁束量子ビットの状態を表す磁束をＤＣ−ＳＱＵＩＤに結合し、ＤＣ−ＳＱＵＩＤは入力信号線に対して一次インダクタと電気的に並列結合される。ＤＣ−ＳＱＵＩＤと一次インダクタとの並列の組合せは、合わさって図３に示す可変変圧器回路３２２などの可変変圧器回路の一部を形成することができる。先に述べたように、超伝導磁束量子ビットの状態を表す磁束はＤＣ−ＳＱＵＩＤ内に直接結合することができ、または超伝導磁束量子ビットの状態を表す磁束はラッチング量子ビットによってラッチすることができ、このラッチ状態を直接、または複数の追加のラッチング量子ビットを通すことによりＤＣ−ＳＱＵＩＤに結合することができる。
【００５７】
６０２で、駆動電流の一部が一次インダクタを通るように、信号入力源が駆動電流（例えばＡＣ駆動電流などの経時変化する駆動電流）を信号入力線内に加える。一部の実施形態では、加える駆動電流は１００ＭＨｚから３００ＧＨｚなどのマイクロ波周波数とすることができるが、他の実施形態ではこの範囲外の周波数を用いてもよい。一部の実施形態では、駆動電流の周波数を１ＧＨｚから２０ＧＨｚの範囲内とすることができる。駆動電流の第１の部分がＤＣ−ＳＱＵＩＤを通り、駆動電流の第２の部分が一次インダクタを通るように、駆動電流をＤＣ−ＳＱＵＩＤと一次インダクタとの並列の組合せの間で分ける。ＤＣ−ＳＱＵＩＤを通る駆動電流の第１の部分は超伝導磁束量子ビットの状態に依存し、したがって一次インダクタを通る駆動電流の第２の部分も超伝導磁束量子ビットの状態に依存する。一次インダクタを通る駆動電流の第２の部分は、超伝導磁束量子ビットが０の状態にある場合は全駆動電流の第１の部分を表し、超伝導磁束量子ビットが１の状態にある場合は全駆動電流の第２の部分を表す。
【００５８】
６０３で、一次インダクタを二次インダクタに誘導結合し、出力信号（例えばＡＣ出力信号などの経時変化する出力信号）が信号出力線を介して伝送されるように、二次インダクタは信号出力線と電気的に直列結合される。出力信号は、一次インダクタを通る駆動電流の第２の部分に比例する。したがって出力信号は、超伝導磁束量子ビットが０の状態にある場合は第１の特性または大きさを示し、超伝導磁束量子ビットが１の状態にある場合は第２の特性または大きさを示す。６０４で、出力信号の特性を測定し、感知し、または他の方法で求め、超伝導磁束量子ビットの状態を明らかにする。一部の実施形態では、出力信号の電圧の振幅及び／または位相を測定し、感知し、または他の方法で求めることができるのに対し、他の実施形態では出力信号の電流の振幅及び／または位相を測定することができる。
【００５９】
一部の実施形態では、測定される量子ビット状態の精度を確かめるために、少なくとも行為６０２〜６０４を複数回の反復にわたり繰り返すことができる。
【００６０】
単一の読出し回路を用いて複数の超伝導磁束量子ビットの状態を読み出すために、軽微な適合及び／または追加とともに方法６００の行為を適用することができる。そのような読出しは、超伝導シフトレジスタや超伝導マルチプレクサ回路などの経路指定システムの動作をこの読出し方法に取り入れることによって可能となる。
【００６１】
図７は、単一の読出し回路を用いて複数の超伝導磁束量子ビットの状態を測定し、感知し、または他の方法で求める方法７００を示す。方法７００は９つの行為７０１〜７０９を含むが、代替的実施形態では、方法７００の様々な応用例において特定の行為を省くことができ及び／または追加の行為もしくはステップを含めてもよいことを当業者なら理解されよう。７０１で、それぞれのラッチング量子ビットを用いて（例えば超伝導量子プロセッサ内の）複数の超伝導磁束量子ビット内の各超伝導磁束量子ビットの状態をラッチする。一部の実施形態では、各超伝導磁束量子ビットを流電結合または誘導結合により、それぞれのラッチング量子ビットに通信結合することができる。７０２で、ラッチ状態を全て複数の追加のラッチング量子ビットを含む経路指定システムに結合する。一部の実施形態では、複数の追加のラッチング量子ビットを超伝導シフトレジスタとして動作するように構成し配置することができる。他の実施形態では、複数の追加のラッチング量子ビットを超伝導マルチプレクサ回路、または所望の経路指定機能を与える他の任意の構成として動作するように構成し配置することができる。
【００６２】
行為７０３〜７０６は、図６に示した方法６００の行為６０１〜６０４と少なくとも何らかの点で似ている。７０３で、第１の超伝導磁束量子ビットに対応するラッチ状態を経路指定システムからＤＣ−ＳＱＵＩＤに結合し、ＤＣ−ＳＱＵＩＤは信号入力線に対して一次インダクタと電気的に並列結合される。ＤＣ−ＳＱＵＩＤと一次インダクタとの並列の組合せは、合わさって図３に示す可変変圧器回路３２２などの可変変圧器回路の一部を形成することができる。７０４で、駆動電流の一部が一次インダクタを通るように、信号入力源を用いて駆動電流（例えばＡＣ駆動電流などの経時変化する駆動電流）を信号入力線内に加える。一部の実施形態では、加える駆動電流は１００ＭＨｚから３００ＧＨｚなどのマイクロ波領域内の周波数を有することができるが、他の実施形態ではこの範囲外の周波数を用いてもよい。駆動電流の第１の部分がＤＣ−ＳＱＵＩＤを通り、駆動電流の第２の部分が一次インダクタを通るように、駆動電流をＤＣ−ＳＱＵＩＤと一次インダクタとの並列の組合せの間で分ける。ＤＣ−ＳＱＵＩＤを通る駆動電流の第１の部分は第１の超伝導磁束量子ビットのラッチ状態に依存し、したがって一次インダクタを通る駆動電流の第２の部分も第１の超伝導磁束量子ビットのラッチ状態に依存する。一次インダクタを通る駆動電流の第２の部分は、第１の超伝導磁束量子ビットのラッチ状態が０の状態の場合は全駆動電流の第１の部分を表し、第１の超伝導磁束量子ビットのラッチ状態が１の状態の場合は全駆動電流の第２の部分を表す。
【００６３】
７０５で、一次インダクタを二次インダクタに誘導結合し、出力信号（例えばＡＣ出力信号などの経時変化する出力信号）が信号出力線を介して伝送されるように、二次インダクタは信号出力線と電気的に直列結合される。出力信号は、一次インダクタを通る駆動電流の第２の部分に比例する。したがって出力信号は、第１の超伝導磁束量子ビットのラッチ状態が０の状態の場合は第１の特性または大きさを示し、第１の超伝導磁束量子ビットのラッチ状態が１の状態の場合は第２の特性または大きさを示す。７０６で、出力信号の特性を測定し、感知し、または他の方法で求め、第１の超伝導磁束量子ビットの状態を明らかにする。一部の実施形態では、出力信号の電圧の振幅及び／または位相を測定し、感知し、または他の方法で求めることができるのに対し、他の実施形態では出力信号の電流の振幅及び／または位相を測定し、感知し、または他の方法で求めることができる。
【００６４】
７０７で、追加の超伝導磁束量子ビットに対応するラッチ状態を経路指定システムからＤＣ−ＳＱＵＩＤに結合するように経路指定システムを動作させる。一部の実施形態では、複数の追加のラッチング量子ビット内の第１のラッチング量子ビットから複数の追加のラッチング量子ビット内の第２のラッチング量子ビットにラッチ状態を経路指定するために、経路指定システムの動作には複数の追加のラッチング量子ビット内のラッチング量子ビットのそれぞれの対の間でラッチ状態を逐次的に結合すること（例えば超伝導シフトレジスタまたはマルチプレクサ回路を具体化すること）が含まれ、複数の追加のラッチング量子ビット内の第２のラッチング量子ビットは、ラッチ状態を第２のラッチング量子ビットに誘導結合するためにＤＣ−ＳＱＵＩＤの十分近くに配置され、または複数のラッチング量子ビット内の第２のラッチング量子ビットはＤＣ−ＳＱＵＩＤに流電結合される。
【００６５】
７０８で、行為７０４〜７０６を繰り返して追加の超伝導磁束量子ビットの状態を求める。具体的には、行為７０４〜７０６は、第１の超伝導磁束量子ビットに対応するラッチ状態の代わりに、追加の超伝導磁束量子ビットに対応するラッチ状態を用いて繰り返し、追加の超伝導磁束量子ビットに対応するラッチ状態は行為７０７でＤＣ−ＳＱＵＩＤに経路指定している。
【００６６】
７０９で、行為７０７及び７０８を繰り返し、複数の超伝導磁束量子ビット内の残りの全ての超伝導磁束量子ビットの状態を逐次的に求める。
【００６７】
本明細書及び添付の特許請求の範囲の全体を通して、「駆動回路」についてしばしば言及した。一部の実施形態では、単一の読出し回路を用いた複数の超伝導磁束量子ビットの読出しを助けるために、経時変化する駆動電流（例えばＡＣ駆動電流）を使用する。本開示に照らし、ラッチ状態を制御された速度で経路指定システムを伝搬させることができるように、経路指定システム（図５の超伝導シフトレジスタ５６０など）を変調波またはＡＣクロック信号によって駆動し及び／またはクロック制御できることを当業者なら理解されよう。したがって、複数の超伝導磁束量子ビットのラッチ状態の逐次的な読み出しが自動化され比較的高速な過程であるように、本明細書に記載した読出し回路の様々な実施形態の中で用いられる経時変化する駆動電流（例えばＡＣ駆動電流）は、経路指定システム内で用いる変調波またはＡＣクロック信号と位相同期するように選択することができ、または逆の場合も同様に、経路指定システム内で用いる変調波またはＡＣクロック信号を、読出し回路を動作させるために用いる駆動電流と位相同期するように選択することができる。ＤＣ−ＳＱＵＩＤが電圧状態に切り替わらず、それにより不所望の熱化遅延の発生が回避されることにより、この自動化され同期された経路指定／読取り過程の速度はさらに速くなる。
【００６８】
本システム及び方法の一部の実施形態では、単一の超伝導量子プロセッサアーキテクチャ内で複数の読出し回路（例えば読出し回路３０２、４０２、及び／または５０２）を使用することが有利であり得る。シフトレジスタ５６０などの経路指定システムを使用することにより、単一の読出し回路が量子プロセッサ内の複数の量子ビットの高速読出しを行うことを可能にし得るが、一部の実施形態では、複数の読出し回路を実装することで読出し過程をより高速に、より効率的に、より単純にすることができ、または違った風に改善することができる。例えば、量子プロセッサ内の量子ビットの配置にもよるが、信号を全ての量子ビットから同じ読出し回路に経路指定するには複雑な経路指定システムが必要であり得るのに対し、一部の量子ビットからの信号を第１の読出し回路に経路指定でき、他の量子ビットからの信号を第２の読出し回路に経路指定できるように第２の読出し回路を設ける場合、経路指定システムを単純化することができる。複数の読出し回路を設けることはさらに、読出し回路のうちの１つに欠陥がある場合に冗長性をもたらす。
【００６９】
本システム及び方法の一部の実施形態では、ラッチング量子ビットが２つの装置間の（例えば量子ビットとＤＣ−ＳＱＵＩＤとの間の）調整可能な相互インダクタンスとして働くレジームでラッチング量子ビットを動作させることができる。そのような実施形態では、ラッチング量子ビットの動作は、強磁性結合と反強磁性結合との間で調整可能な結合強度を提供する米国特許第７，８９８，２８２号に記載の結合装置、及び／または米国特許出願公開第２０１１−００６０７８０号に記載のマルチプライヤの動作に酷似し得る。
【００７０】
本明細書及び添付の特許請求の範囲の全体を通して、用語「ＤＣ−ＳＱＵＩＤ」（例えばＤＣ−ＳＱＵＩＤ３３１、ＤＣ−ＳＱＵＩＤ４３１、ＤＣ−ＳＱＵＩＤ５３１等）は、入力端子、出力端子、ならびに入力端子及び出力端子に対して並列接続される２つのジョセフソン接合を有する超伝導材料のループを述べるために用いる。ただし、本明細書に記載した様々な実施形態では、ＤＣ−ＳＱＵＩＤの入力端子及び出力端子は、一次インダクタ（例えば一次インダクタ３３２等）を介して互いに電気的に直列接続される。当業者は、この回路を複合ジョセフソン接合を有するＲＦ−ＳＱＵＩＤとみなし得ることも理解されよう。
【００７１】
本明細書に記載した様々な実施形態は、反復的な断熱的量子計算及び量子アニーリングアルゴリズムの全体的な性能速度にさもなければ悪影響を及ぼし得る、熱化遅延を減らしまたはなくすためのシステム及び方法を提供する。本システム及び方法は、当技術分野で見られる他の適した無散逸読出し方式で一般に使用される（例えば量子計算のゲートモデル及び／または回路モデルの実装形態で用いる）大きな共振器回路を必要とすることなく、そのような利益をもたらす。本明細書に記載した様々な実施形態は、当技術分野で知られている他の無散逸読出し方式よりも著しくサイズが小さい無散逸読出しシステムを提供し、その結果、読出しシステムに割り当てる必要がある量子プロセッサアーキテクチャ内の空間量を大幅に減らす。
【００７２】
本明細書の全体を通して、断熱的量子計算及び／または量子アニーリングを実行するように設計された超伝導量子プロセッサと併せ、本明細書に記載した読出しシステムの様々な実施形態の実装についてしばしば言及した。本システム及び方法は、（断熱的量子計算及び／または量子アニーリングを実行するように設計された超伝導量子プロセッサが、少なくとも量子発展の終了時に量子ビットの古典的状態だけが読み出されることを概して必要とするので）かかる応用で使用するのにとりわけ適しているが、超伝導磁束量子ビット状態を読み出すためのシステム及び方法は、有利には、ゲートモデル量子計算及び／または回路モデル量子計算など、他の形式の量子計算を実行するように設計された超伝導量子プロセッサに適用できることを当業者なら理解されよう。
【００７３】
本システム及び方法の特定の態様は室温で実現することができ、特定の態様は超伝導温度で実現することができる。したがって、本明細書及び添付の特許請求の範囲を通して、用語「超伝導」及び「超伝導体」は、適切な温度で超伝導体として振る舞うことができる材料を指すために使用する。超伝導材料は、本システム及び方法の全ての実施形態において必ずしも常に超伝導体として機能するとは限らない。一部の実施形態では、本明細書に記載した超伝導回路素子の少なくとも一部を超伝導の伝導トレースによって電気的に接続することができる。他の実施形態では、本明細書に記載した超伝導回路素子の少なくとも一部を非超伝導の伝導トレースによって電気的に接続することができる。
【００７４】
要約書に記載の内容も含め、図示の実施形態についての上記の説明は、網羅的であることも開示した厳密な形態に実施形態を限定することも意図しない。説明目的で特定の実施形態及び例を本明細書に記載したが、当業者なら理解されるように、本開示の趣旨及び範囲から逸脱することなく様々な等価の修正を加えることができる。本明細書に示した様々な実施形態の教示は、必ずしも上記で広く説明した量子計算の例示的なシステム及び方法ではなく、量子計算の他のシステム及び方法にも適用することができる。
【００７５】
上記で述べた様々な実施形態を組み合わせ、さらなる実施形態をもたらすことができる。本明細書で言及し及び／または出願データシートに列記した米国特許、米国特許出願公開、米国特許出願、外国特許、外国特許出願、及び非特許文献の全ては、参照によりその全体を本明細書に援用する。様々な特許、出願、及び文献のシステム、回路、及び概念を使用するために実施形態の側面を必要に応じて修正し、さらなる実施形態をもたらすことができる。
【００７６】
これらの及び他の変更は、上記の詳細な説明に照らして実施形態に加えることができる。概して、添付の特許請求の範囲において使用する用語は、本明細書及び特許請求の範囲の中で開示する特定の実施形態に特許請求の範囲を限定するように解釈すべきでなく、かかる特許請求の範囲の権利が与えられる等価物の全範囲とともに、あり得る全ての実施形態を含むように解釈すべきである。したがって、特許請求の範囲が本開示によって限定されることはない。
【図１】
2014504057.tif 000005
【図２】
2014504057.tif 000006
【図３】
2014504057.tif 000007
【図４】
2014504057.tif 000008
【図５】
2014504057.tif 000009
【図６】
2014504057.tif 000010
【図７】
2014504057.tif 000011
【国際調査報告】
2014504057.tif 000012
2014504057.tif 000013